(57)【要約】      （修正有）【課題】簡単な構成であるにもかかわらず、ボーリング孔内の遮水層の形成に要する時間を短縮するとともに、当該遮水層の形成により帯水層からの地下水を確実に遮水（止水）することが可能な遮水具を提供する。【解決手段】水が浸透した状態で所定の圧力が加わると破れるシートを用いて、軸方向をボーリング孔の上下方向に合わせ、ボーリング孔内の不透水層に対応する領域に収まる大きさの細長い中空の筒２を形成し、筒２の内部に、水を吸収すると膨張する遮水材３を所定量充填し、更に、筒２の両端部２ａ、２ｂを封止する。【選択図】図１
0003181247.tif 000002
【実用新案登録請求の範囲】
【請求項１】
帯水層と不透水層とが交互に積層された多層帯水層の地盤における各帯水層の間隙水圧を測定する際に、当該地盤に削孔したボーリング孔内の前記不透水層に対応する領域に遮水層を形成させるための遮水具であって、
水が浸透した状態で所定の圧力が加わると破れるシートを用いて、軸方向を前記ボーリング孔の上下方向に合わせると当該ボーリング孔内の不透水層に対応する領域に収まる大きさの細長い中空の筒を形成し、当該筒の内部に、水を吸収すると膨張する遮水材を所定量充填し、更に、前記筒の両端部を封止したことを特徴とする遮水具。
【請求項２】
前記シートが、新聞紙、和紙、書道紙、半紙、障子紙、藁半紙、天然繊維で作成された用紙、半合成繊維で作成された用紙のいずれかである
請求項１に記載の遮水具。
【請求項３】
帯水層と不透水層とが交互に積層された多層帯水層の地盤における各帯水層の間隙水圧を測定する間隙水圧測定装置であって、
水が浸透した状態で所定の圧力が加わると破れるシートを用いて、軸方向を前記ボーリング孔の上下方向に合わせると当該ボーリング孔内の不透水層に対応する領域に収まる大きさの細長い中空の筒を形成し、当該筒の内部に、水を吸収すると膨張する遮水材を所定量充填し、更に、前記筒の両端部を封止した遮水具と、
前記遮水具を、前記不透水層に対応する領域に所定数配置することで、当該領域に遮水層を形成させる配置手段と
を備えることを特徴とする間隙水圧測定装置。
【考案の詳細な説明】
【技術分野】
【０００１】
本考案は、遮水具、これを用いた間隔水圧測定装置に関し、詳しくは、簡単な構成であるにもかかわらず、ボーリング孔内の遮水層の形成に要する時間を短縮するとともに、当該遮水層の形成により帯水層からの地下水を確実に遮水（止水）することが可能な遮水具、これを用いた間隔水圧測定装置に関する。
【背景技術】
【０００２】
ダムの基礎、切土斜面の安定、地滑りの防止、井戸の設置等の調査において、地盤の強度や変形に関する性質を理解するために、地盤の地下における間隙水圧の分布を計測することは、極めて重要な事項である。ここで、前記地盤は、通常、透水性を有するとともに地下水が飽和している帯水層と、地下水を透し難い又は透さない不透水層とが上下方向に交互に積層された多層帯水層を構成しており、各帯水層から流出する地下水の水圧がそれぞれ測定対象となる。
【０００３】
前記多層帯水層の間隙水圧を測定するために、従来では、以下の方法が採用されていた。先ず、間隔水圧の測定対象である多層帯水層に、一本のボーリング孔を削孔し、当該ボーリング孔内の帯水層に対応する領域（深度位置、深度空間）に、間隙水圧を測定するための間隙水圧計を設置するとともに、玉石、砕石、小石などのフィルター材を充填し、フィルター層を形成させる。次に、前記ボーリング孔内の不透水層に対応する領域に、ベントナイト、モルタル、セメントミルク等の遮水材（シール材）を充填して、遮水層（止水層、シール層）を形成させる。これらの作業を繰り返すことで、前記地盤の帯水層と不透水層とに対応するように、前記ボーリング孔内に前記フィルター層と前記遮水層とを交互に積層させる。又、各フィルター層毎に設置された間隙水圧計のリード線（計測ケーブル）を地上に導出して、当該リード線を間隙水圧計測用のコンピュータ（装置）に接続する。すると、当該コンピュータが、各フィルター層毎の間隙水圧計の水圧（測定値）を測定することになる。これにより、間隙水圧測定が実施される。
【０００４】
しかしながら、上述した従来技術では、前記地盤の帯水層と不透水層とに対応するように、前記ボーリング孔内へ前記フィルター材と前記遮水材とを交互に充填（投入）するため、当該フィルター材の充填量、又は当該遮水材の充填量が少しでも不正確であると、前記不透水層に対応する領域に遮水層が適切に形成されず、帯水層の地下水が当該遮水層から漏れて、間隙水圧計の水圧が変動するという問題がある。又、前記ボーリング孔内の割れ目などに遮水材が浸透すると、当該遮水材の充填量が不足し、所定の深度まで遮水層が適切に形成されないという問題がある。更に、各フィルター層毎に埋設された間隙水圧計のリード線が上下方向に「水みち」を形成し、当該「水みち」が、各遮水層の遮水状態（止水状態）を壊して、各フィルター層の水圧を正確に測定することが出来ないという問題がある。そして、フィルター材や遮水材を充填（埋設）する場合、剥き出しとなった間隙水圧計又はリード線を損傷する場合があるという問題がある。
【０００５】
当該問題を解決するために、例えば、特開平３−２７９５１０号公報（特許文献１）には、（間隙）水圧計を内蔵した水圧測定管が適宜間隔ごとに設けられ、かつ外面にフィルター材と布製の袋体とが交互に取り付けられ、当該フィルター材が前記水圧測定管の外面に被覆されて形成された測定管を予め用意する間隙水圧測定方法が開示されている。そして、当該測定管を前記測定孔内に挿入し、前記袋体にシール材を充填して膨張させることにより、多段状に遮水をする。これにより、シール材及びフィルター材を測定深度へ正確に設置することが出来るなどの多数の効果を得るとしている。
【０００６】
又、特開平３−２７９５１１号公報（特許文献２）には、導水口と連通する水圧計が適宜間隔毎に区分内蔵され、上記水圧計のリード線が地上側へ導出された水圧測定管を用いた地盤内の間隙水圧測定方法が開示されている。当該測定方法では、前記水圧測定管をボーリング孔中へ挿入し、当該ボーリング孔内へフィルター材を充填するとともに、フィルター材の充填深度を測定して前記導水口を被装する箇所にフィルター材層を形成する。又、セメント系や合成樹脂系によるシール材を充填するとともに、上記シール材の充填深度を測定してシール材層を積層し、前記フィルター材層と前記シール材層の積層を複数回繰り返し、前記リード線を接続した地上側の計測器によって、各深度における前記各水圧計の測定値が測知されるようにしている。これにより、フィルター材およびシール材の充填深度を充填作業の度毎に正確に求めることが出来るなどの多数の効果を得るとしている。
【０００７】
又、特開平４−９７００９号公報（特許文献３）には、シール層に、礫などによる粒状固形材層と硬化用の合成樹脂とを採用することで、当該合成樹脂の使用量の低減と、合成樹脂の硬化による発熱量の低減とを図ることが出来るとしている。
【０００８】
又、特開平４−９７０１０号公報（特許文献４）には、特定の縦装連通単管と、シール材注入用パイプとを利用することで、何段にも形成された各粒状固形材層内へのシール材供給を一度に可能とすることが出来るとしている。
【０００９】
又、特開平４−９７０９４号公報（特許文献５）には、水よりも大きい比重と、特定の範囲内の粘度と、揺変性とを有する特定の合成樹脂（エポキシ樹脂等の主剤と硬化剤との混合物）をシール材として採用することで、速硬化性と低発熱性とを兼備させ、施工時間の短縮と止水性の向上を達成することが出来るとしている。
【００１０】
又、特開平９−１３８６６号公報（特許文献６）には、セメント又はベントナイトのいずれか一方又は両方に、高分子水溶性エーテル化合物等の高分子系混和剤及び減水剤を添加した混練物を成形し、これを乾燥・固化させてなり、吸水により膨張し、その膨張状態のまま凝結する性質を有することを特徴とする遮水材が開示されている。これにより、長期にわたり高剛性の遮水を行うことが出来るとしている。
【００１１】
又、特開２０００−９４７６４号公報（特許文献７）には、地中に掘削したボーリング孔に挿入される所要長さの支持パイプに、予め調査によって求めた地下水層や地すべり面を挟む不透水層の位置ごとに吸水膨張性の遮水部材を取り付けたボーリング孔の遮水具が開示されている。当該遮水具は、吸水膨張性ゴム層の膨張速度を、吸水膨張性遮水材の膨張速度より大きく設定し、下位の吸水膨張性ゴム層の膨張速度を上位の吸水膨張性ゴム層の膨張速度より大きく設定している。これにより、不飽和帯水層のボーリング孔のように、遮水材の膨張に必要な地下水が不足する場合にも、遮水位置の上方から落下する湧水を下位のゴム層で受け止め、受け止めた湧水を用いて水溜まりを作り、その後、上位のゴム層を膨張させる。そのため、地下水が十分に存在する飽和帯水層でも、地下水が不足する不飽和帯水層でも確実な遮水を行うことが出来るとしている。
【００１２】
又、特開２０１０−２４３３３７号公報（特許文献８）には、間隔水圧計と地下水流向計とを用いた多層帯水層の間隔水圧測定方法が開示されている。当該間隔水圧測定方法では、先ず、多層帯水層地盤に多層帯水層を貫通してボーリング孔を削孔し、削孔後に前記多層帯水層地盤における各帯水層の深さ位置を計測し、次に、ボーリング孔内に間隙水圧計を、前記計測した各帯水層深さ位置の対応箇所に地下水流向計をそれぞれ配置する。そして、前記ボーリング孔内での水位低下操作を行った後、該ボーリング孔内での水位が回復する経過中に、各帯水層に対応して設置した地下水流向計により各帯水層の地下水流向変化時点を測定し、前記変化時点でのボーリング孔内水位面位置を前記間隙水圧計により測定することで、該測定値により各帯水層の間隙水圧を測定する。これにより、１箇所のボーリング孔でシール層や遮水層を設置することなく、多層帯水層における各帯水層の間隙水圧（被圧水頭）を同時かつ正確に測定することが出来るとしている。
【先行技術文献】
【特許文献】
【００１３】
【特許文献１】特開平３−２７９５１０号公報
【特許文献２】特開平３−２７９５１１号公報
【特許文献３】特開平４−９７００９号公報
【特許文献４】特開平４−９７０１０号公報
【特許文献５】特開平４−９７０９４号公報
【特許文献６】特開平９−１３８６６号公報
【特許文献７】特開２０００−９４７６４号公報
【特許文献８】特開２０１０−２４３３３７号公報
【考案の概要】
【考案が解決しようとする課題】
【００１４】
しかしながら、特許文献１に記載の技術では、遮水材を布製の袋体に充填するため、遮水材が膨張した際に、当該遮水材が布から容易に滲み出すか否か不明であり、滲み出した遮水材がボーリング孔壁に密着するのに時間を要する可能性があるという問題がある。場合によっては、水に浸された遮水材が布から滲みださないという事態も想定される。
【００１５】
又、特許文献２−５に記載の技術では、特殊な水圧測定管や遮水材として特殊な合成樹脂等を利用するため、費用が掛かるという問題がある。又、遮水材をボーリング孔内に充填するためのシール材注入用パイプが別途必要であるという問題がある。更に、前記合成樹脂等の硬化のために数時間を要し、間隙水圧測定前の施工時間が長期化する傾向があるという問題がある。
【００１６】
更に、特許文献６、７に記載の技術では、特殊な遮水材及び遮水具を予め作成しておく必要があり、又、特許文献８に記載の技術では、間隙水圧計の他に地下水流向計を別途用いる必要があり、いずれの技術でも、従来技術とは異なる器具や装置を別途用意する必要があり、コストが掛かる等の問題がある。
【００１７】
ところで、ボーリング孔内に遮水層を形成させる従来からの方法としては、作業者が手で所定量の遮水材をボーリング孔の開口部から静かに投入する方法や長尺のパイプを有するグラウトポンプを用いて所定量の遮水材を所望の領域に勢いよく投入する方法が挙げられる。しかしながら、いずれの方法でも、遮水材の充填が不十分、不均一となる場合があり、それに伴って、形成された遮水層の遮水性能が劣っており、正確な間隙水圧を測定することが出来ないという問題がある。
【００１８】
そこで、本考案は、前記問題を解決するためになされたものであり、簡単な構成であるにもかかわらず、ボーリング孔内の遮水層の形成に要する時間を短縮するとともに、当該遮水層の形成により帯水層からの地下水を確実に遮水（止水）することが可能な遮水具、これを用いた間隔水圧測定装置を提供することを目的とする。
【課題を解決するための手段】
【００１９】
上述した課題を解決し、目的を達成するために、本考案は、帯水層と不透水層とが交互に積層された多層帯水層の地盤における各帯水層の間隙水圧を測定する際に、当該地盤に削孔したボーリング孔内の前記不透水層に対応する領域に遮水層を形成させるための遮水具である。
【００２０】
当該遮水具は、水が浸透した状態で所定の圧力が加わると破れるシートを用いて、軸方向を前記ボーリング孔の上下方向に合わせると当該ボーリング孔内の不透水層に対応する領域に収まる大きさの細長い中空の筒を形成し、当該筒の内部に、水を吸収すると膨張する遮水材を所定量充填し、更に、前記筒の両端部を封止したことを特徴とする。
【００２１】
これにより、簡単な構成であるにもかかわらず、ボーリング孔内の遮水層の形成に要する時間を短縮するとともに、当該遮水層の形成により帯水層からの地下水を確実に遮水（止水）することが可能となる。
【００２２】
即ち、ボーリング孔内に遮水層を形成する際に、作業者が、遮水具の軸方向と前記ボーリング孔の上下方向とを合わせた状態で、当該遮水具を当該ボーリング孔の上面から落下（投入）すれば、当該遮水具が当該ボーリング孔内の水（例えば、地下水）で濡れながら、当該ボーリング孔内の不透水層に対応する領域の下面（最底面、フィルター層の上面）まで落下する。
【００２３】
ここで、前記遮水具は、自身を構成するシートが内部の遮水材の膨張（膨潤）により破れるまで、当該遮水材を前記下面に搬送させる。そのため、内部の遮水材が、前記不透水層に対応する領域に到達する前に、前記ボーリング孔内に分散して、当該領域とは異なる領域（例えば、帯水層に対応する領域）に停滞したり、孔壁に付着したりすることを防止することが可能となる。その結果、簡単な作業であるにもかかわらず、遮水材を減らすことなく、所定量の遮水材を前記領域に十分に（適切に）充填させることが可能となる。
【００２４】
又、前記領域に到達した遮水具において、内部に前記ボーリング孔内の水が十分に染み渡ると、内部の遮水材が膨張して所定の圧力で外部のシートを押して突き破る。すると、当該遮水材が、前記不透水層を形成させたい領域内で適切に分散され、隣接する遮水材と密着したり、当該不透水層に対応する領域のボーリング孔壁に付着したりして遮水層が形成される。
【００２５】
ここで、遮水具自身の形状が、前記不透水層に対応する領域に収まる（適合する）細長い形状であることから、内部の遮水材は他の領域に分散することがなく、当該領域に均一に適合する（合致する）ように遮水層が形成される。その結果、形成された遮水層は、上下に位置する帯水層からの地下水を確実に遮水（止水）することが可能となる。
【００２６】
更に、本考案に係る遮水具は、構成要素が少なく、極めて簡単な構成であるため、コストパフォーマンスに優れるという顕著な効果を有する。
【００２７】
又、前記シートが、新聞紙、和紙、書道紙、半紙、障子紙、藁半紙、天然繊維で作成された用紙、半合成繊維で作成された用紙のいずれかである構成を採用することが出来る。
【００２８】
又、本考案は、帯水層と不透水層とが交互に積層された多層帯水層の地盤における各帯水層の間隙水圧を測定する間隙水圧測定装置として提供することが出来る。即ち、当該間隙水圧促成装置は、水が浸透した状態で所定の圧力が加わると破れるシートを用いて、軸方向を前記ボーリング孔の上下方向に合わせると当該ボーリング孔内の不透水層に対応する領域に収まる大きさの細長い中空の筒を形成し、当該筒の内部に、水を吸収すると膨張する遮水材を所定量充填し、更に、前記筒の両端部を封止した遮水具と、前記遮水具を、前記不透水層に対応する領域に所定数配置することで、当該領域に遮水層を形成させる配置手段とを備えることを特徴とする。このように構成としても、上述と同様の効果を得ることが可能となる。
【考案の効果】
【００２９】
本考案に係る遮水具、これを用いた間隙水圧測定装置によれば、簡単な構成であるにもかかわらず、ボーリング孔内の遮水層の形成に要する時間を短縮するとともに、当該遮水層の形成により帯水層からの地下水を確実に遮水（止水）することが可能となる。
【図面の簡単な説明】
【００３０】
【図１】本考案に係る遮水具及び収納用のボックスを示す斜視図である。
【図２】本考案に係る遮水具の作成方法を示す第一の斜視図である。
【図３】本考案に係る遮水具の作成方法を示す第二の斜視図である。
【図４】本考案に係る遮水具を用いた間隙水圧測定方法の実行手順を示すためのフローチャートである。
【図５】本考案に係る遮水具を用いた間隙水圧測定方法の概略を示す第一の図である。
【図６】本考案に係る遮水具を用いた間隙水圧測定方法の概略を示す第二の図である。
【図７】本考案に係る遮水具を用いた間隙水圧測定方法及び間隙水圧測定装置の概略を示す第三の図である。
【考案を実施するための形態】
【００３１】
以下、本考案の実施形態について、以下、適宜図面を参照しながら詳細に説明する。
【００３２】
＜本考案に係る遮水具＞
図１は、本考案に係る遮水具及び収納用のボックスを示す斜視図である。
【００３３】
本考案に係る遮水具１は、帯水層と不透水層とが交互に積層された多層帯水層の地盤における各帯水層の間隙水圧を測定する際に、当該地盤に削孔したボーリング孔内の前記不透水層に対応する領域に遮水層を形成させるための遮水具１である。
【００３４】
当該遮水具１は、図１に示すように、水が浸透した状態で所定の圧力が加わると破れるシートを用いて、軸方向を前記ボーリング孔の上下方向に合わせると当該ボーリング孔内の不透水層に対応する領域に収まる大きさの細長い中空の筒２を形成し、当該筒２の内部に、水を吸収すると膨張する遮水材３を所定量充填し、更に、前記筒２の両端部２ａ、２ｂを封止したことを特徴とする。
【００３５】
これにより、前記ボーリング孔内の不透水層に対応する領域に所定の遮水層を形成させる際に、前記遮水具１の軸方向を当該ボーリングの上下方向に合わせて当該遮水具１を当該ボーリング孔内に投入（落下）させれば、内部の遮水材３を、当該ボーリング孔内の途中で分散させることなく、前記領域に十分に充填させることが可能となる。又、内部の遮水材３が水を吸収して膨張すれば、自動的に外部のシートを破り、遮水層となる。ここで、遮水具１自身の形状が、前記領域に収まる大きさの細長い形状であることから、当該領域に均一に適合する（合致する）ように遮水層が形成される。そのため、形成された遮水層が、前記不透水層の上下に位置する帯水層からの地下水を確実に遮水（止水）することが可能となる（後述）。
【００３６】
ここで、前記筒２の大きさは、軸方向をボーリングの上下方向に合わせると当該ボーリング孔内の不透水層に対応する領域に収まる大きさであれば、どのような大きさでもよく、前記不透水層の種類などに応じて、当該不透水層に対応する領域よりも聊か大きくても小さくても構わない。理想的には、軸方向の長さ２ｃが前記不透水層の上下方向の長さ（厚さ）以下であり、幅方向の長さ２ｄが前記ボーリング孔の直径以下に設定される。当該構成とすると、前記不透水層の種類、上下方向の長さによるものの、作業者が、遮水具１全体を持ち運び易くなるとともに、当該遮水具１を手軽に前記ボーリング孔内へ投入（落下）し易くなる。
【００３７】
又、前記筒２の幅方向の長さ２ｄは、前記ボーリング孔の直径以下であれば、どのような長さでも構わないが、通常、前記ボーリング孔の直径は、当該ボーリング孔の長さ、大きさ、調査する多層帯水層の種類などに応じて変動するものの、６６ｍｍ（φ６６）、８６ｍｍ（φ８６）、１１６ｍｍ（φ１１６）、１５０ｍｍ（φ１５０）の範囲である。そのため、前記筒２の幅方向の長さ２ｄを、例えば、前記ボーリング孔の直径の４分の１から２分の１の範囲、具体的には、２５ｍｍ（２．５ｃｍ）−１００ｍｍ（１０ｃｍ）の範囲、好ましくは、４０ｍｍ（４ｃｍ）−６０ｍｍ（６ｃｍ）の範囲とすると、どのようなボーリング孔にも適用可能な汎用性の高い遮水具１とすることが出来るとともに、作業者が当該遮水具１を片手で掴んで持ち運ぶことが可能となり、当該遮水具１の取扱性を向上させる。
【００３８】
一方、前記筒２の幅方向の長さ２ｄが、上述した範囲（１００ｍｍ）より大きい場合、その遮水具は、比較的直径の小さいボーリング孔に適用出来ない可能性があるとともに、作業者が、当該遮水具を片手で掴むことが出来ない可能性があり、好ましくない。又、前記筒２の幅方向の長さ２ｄが、上述した範囲（２５ｍｍ）より小さい場合、作業者が、遮水層を形成させるために、非常に多数の遮水具１を前記ボーリング孔に投入する必要が生じ、作業者の手間が増え、好ましくない。
【００３９】
又、前記筒２の軸方向の長さ２ｃは、前記不透水層の上下方向の長さ以下であれば、どのような長さでも構わないが、通常、前記不透水層の上下方向の長さは、多層帯水層の地盤の種類、不透水層の存在する深度などに応じて変動するものの、１００ｃｍ（１ｍ）−５００ｃｍ（５ｍ）の範囲である。そのため、前記筒２の軸方向の長さを、例えば、３分の１から前記不透水層の上下方向の長さと同等までの範囲、具体的には、２０ｃｍ−１５０ｃｍ、好ましくは、３０ｃｍ−１００ｃｍとすると、どのような不透水層にも対応する遮水層を形成可能な遮水具１とすることが出来るとともに、聊か重い遮水材３を当該遮水具１に充填させたとしても、作業者が当該遮水具１を一人で持ち運ぶことが出来て、作業者に対する利便性を向上させる。
【００４０】
尚、前記不透水層の上下方向の長さが著しく大きい場合（例えば、５ｍ）は、所定の軸方向の長さ（例えば、１ｍ）の遮水具１を複数（例えば、５つ）上下方向に積み上げるように配置することで、当該不透水層に対応する所望の遮水層を形成させることになる。
【００４１】
一方、前記筒２の軸方向の長さ２ｃが、上述した範囲（２０ｃｍ）より小さい場合、作業者が、前記遮水層を形成させるために多数の遮水具を前記ボーリング孔に投入しなければならず、作業者の手間が増え、好ましくない。又、前記筒２の軸方向の長さ２ｃが、上述した範囲（１５０ｃｍ）より大きい場合、作業者が、当該遮水具を持ち上げた際に、当該遮水具自体が折れ曲がってしまい、前記ボーリング孔に投入出来ない可能性があり、好ましくない。
【００４２】
又、前記筒２の形状は、細長い形状であれば、どのような形状でも構わないが、通常、前記ボーリング孔は略円筒形状であるため、当該筒２の形状を、略円筒形状、又は略多角柱形状とすると、略円筒形状に充填された遮水材３が、前記ボーリング孔の不透水層に対応する領域で膨張した際に、当該遮水材３全体が当該領域に隙間無く嵌まり込む。そのため、当該遮水材３により形成された遮水層が十分且つ均一に当該領域の内壁に密着し、確実に遮水性能を発揮する。
【００４３】
ここで、略円筒形状には、例えば、底面が真円である円筒形状や底面が楕円である楕円筒形状が含まれる。又、略多角柱形状には、例えば、底面が三角、四角、五角、六角、七角、八角、九角、十角、十二角、十四角、十六角、十八角などの多角である多角柱形状が含まれる。
【００４４】
又、前記遮水具１の外部（外周部）を構成するシートは、水が浸透した状態（水に濡れた状態）で所定の圧力が加わると破れるシートであれば、どのようなシートでも構わないが、例えば、新聞紙、和紙、書道紙、半紙、障子紙、藁半紙、天然繊維で作成された用紙、半合成繊維で作成された用紙などの市販で簡単に入手することが可能なシートが採用される。
【００４５】
特に、前記シートとして、新聞紙を採用すると、簡単に入手出来るとともに、見開き状態の新聞紙の長手方向の長さが約１００ｃｍ（片開き状態の新聞紙の長手方向の長さが約５０ｃｍ）であるため、上述した遮水具１（筒２）の軸方向の長さ２ｃを満たし、当該遮水具１の作成におけるシートの寸法調整が不要となる。又、前記新聞紙は、地中（地下）に残留しても大きな問題とならないため、前記遮水具１の外部材料としては最適である。尚、前記和紙、書道紙などであっても同様である。
【００４６】
ここで、所定の圧力とは、例えば、水吸収により膨張した透水材３が外部を押す（圧迫する）程度の圧力や作業者が所定の棒や重りを用いて透水具１を押す（ぶつける）程度の圧力である。
【００４７】
又、前記遮水材３は、水を吸収すると膨張する遮水材、つまり、間隙水圧測定方法に用いられる通常の遮水材であれば、どのような遮水材でも構わないが、例えば、ベントナイト、モルタル、セメントミルクや、これらに所定の合成樹脂を混合した混合物などが採用される。
【００４８】
又、前記遮水材３の所定量（充填量）は、通常、前記遮水具１の内部の全体積に対応する量であるが、現場で確認された不透水層の上下方向の長さやボーリング孔の大きさなどに応じて適宜調整しても構わない。例えば、前記ボーリング孔内の不透水層に対応する領域の体積が、遮水具１の３本半分の体積であれば、遮水具１を４本用意し、いずれか１本の遮水具１における遮水材３の充填量を半分にして、前記領域の体積に対応させる。このように、前記遮水材３の充填量は、現場にて適宜調整され得る。
【００４９】
又、前記筒２の両端部２ａ、２ｂを封止する方法は、内部の遮水材３が筒２の両端部２ａ、２ｂから零れ落ちない方法であれば、どのような方法でも構わないが、例えば、遮水材３の充填後、筒２の一端部２ａを、単に、底面となるように外側から中心に向かって内側に折り曲げておく方法、遮水材３の充填後、筒２の他端部２ｂを底面として外側から中心に向かって内側に折り曲げ、その状態を施工用テープ４で固定する方法などが挙げられる。
【００５０】
尚、図１に示す遮水具１は、一端部２ａを、前記施工用テープ４なしで封止し、他端部２ｂを、当該施工用テープ４で封止しているが、両端部を前記施工用テープ４なしで封止しても良いし、更に、両端部を前記施工用テープ４で封止しても構わない。又、前記筒２の両端部２ａ、２ｂを封止する際に、外部から内部へ水が流入可能な隙間を予め設けておいて、遮水具１の内部への水の侵入を促進させるよう構成してもよい。
【００５１】
又、本考案に係る遮水具は、図１に示すように、間隙水圧測定を実施する前の段階から、予め複数作成しておき、当該遮水具１を複数収めることが可能な所定のボックス５に収納しておく。前記遮水具１を前記ボックス５に収納すれば、当該ボックス５が、外部からの圧力（衝撃）から内部の遮水具１を保護し、当該圧力により遮水具１のシートが破れることを防止する。又、前記遮水具１のシートが、前記ボックス５の搬送中に、何らかの原因により破れたとしても、当該ボックス５が、内部の遮水材３の外部への分散を防止することが出来る。
【００５２】
＜本考案に係る遮水具の作成方法＞
次に、本考案に係る遮水具の作成方法について説明する。
【００５３】
本考案に係る遮水具の作成方法は、どのような方法であっても構わないが、例えば、以下の方法が採用される。
【００５４】
図２、図３は、本考案に係る遮水具の作成方法を示す斜視図である。
【００５５】
先ず、所定のボーリング孔の直径、例えば、１１６ｍｍ（φ１１６）の約２分の１に対応する直径（ここでは、６０ｍｍ）の細長い円筒６（例えば、円筒パイプ）と、遮水具１を形成するためのシート７（例えば、新聞紙）を用意する。
【００５６】
次に、当該新聞紙７を見開き状態として、図２に示すように、その長手方向の辺（長辺）を前記円筒パイプ６に当て、当該円筒パイプ６に当該新聞紙７を巻き付けて、当該新聞紙７からなる略円筒形状の細長い中空の筒２を作成する。
【００５７】
ここで、見開き状態の新聞紙７の長手方向の長さが約１００ｃｍであるため、作成された筒２の軸方向の長さは、上述した通常の不透水層の上下方向の長さ以下となり、当該筒２の大きさは、軸方向をボーリングの上下方向に合わせると当該ボーリング孔内の不透水層に対応する領域に収まる大きさとなる。
【００５８】
又、前記新聞紙７を前記円筒パイプ６に巻き付ける巻き付け回数は、当該新聞紙７が細長い中空の筒２となれば何回でも構わないが、当該巻き付け回数が２回−１０回であると、筒２自身に適度な強度を付与することが出来るため、例えば、充填した遮水材３の重さによる遮水具１の折れ曲りや新聞紙７の破れを防止することが可能となる。尚、細長い中空の筒２の周面については、必要に応じて施工用テープ４で留める。
【００５９】
更に、作成された筒２の一端部２ａ（例えば、図２に示す右方向の一端部２ａ）を、底面となるように外側から中心に向かって内側に折り曲げて、その状態を施工用のテープ４で固定し、当該一端部２ａを封止する。
【００６０】
次に、封止した筒２の一端部２ａを略円筒の底面として、開放された筒２の他端部２ｂ（例えば、図２に示す左方向の一端部２ｂ）から遮水材３を充填する。当該遮水材３は、例えば、市販のペレット状のベントナイトである。前記遮水材３の充填量は、適宜調整されるものの、ここでは、作成した筒２の内部の全体積とする。
【００６１】
前記筒２の内部に所定量の遮水材３を充填すると、当該筒２の他端部２ｂを、底面となるように外側から中心に向かって内側に折り曲げて軽く固定する。これにより、前記筒２の他端部２ｂから、内部の遮水材３を適宜抜き出したりして充填量を調整することが可能となる。このようにして、図３に示すように、本考案に係る遮水具１が完成する。本考案に係る遮水具１を作成するために要する時間は、作業者の慣れなどに応じて変動するものの、一の遮水具当たり５分−１０分程度である。
【００６２】
尚、上述した遮水具１の作成方法では、見開き状態の新聞紙７を用いて遮水具１を作成したが、例えば、片開き状態（半開き状態）の新聞紙７を用いて遮水具１を作成してもよい。その点は、現場の不透水層の上下方向の長さなどに応じて適宜調整される。
【００６３】
＜本考案に係る遮水具を用いた間隙水圧測定方法＞
次に、本考案に係る遮水具１を用いた間隙水圧測定方法について説明する。
【００６４】
図４は、本考案に係る遮水具を用いた間隙水圧測定方法の実行手順を示すためのフローチャートである。図５−図７は、本考案に係る遮水具を用いた間隙水圧測定方法の概略を示す図である。
【００６５】
先ず、間隙水圧測定の対象となる多層帯水層の地盤の位置を確認し、当該位置の上面ＧＬ（作業床）から下方向に所定の深度（例えば、４．０ｍ）だけ、所定のボーリングマシン（図示せず）の回転ドリルを用いて削孔する。そして、削孔した孔に、所定の外径（例えば、φ１２５）を有する口元管（図示せず）を設置して、間隙水圧測定の準備をする。
【００６６】
次に、図５（Ａ）に示すように、所定の内径（例えば、φ１１６）を有する回転ドリルを用いて、前記口元管に沿ってボーリング孔８を所定の深度まで削孔する（図４：Ｓ１０１、図５（Ａ））。
【００６７】
ここで、前記ボーリング孔８を削孔する場合、例えば、当該ボーリング孔８の孔壁に所定のパイプ９（ボーリングの外径と同等の外径を有するケーシングパイプ）を適宜設置して、当該孔壁を保護するケーシング掘りが採用される。
【００６８】
又、前記ボーリング孔８の所定の深度は、最深部（最下面）が帯水層１０となるように、予め調査（決定）された深度であり、図５に示す地盤では、三つの帯水層１０と、二つの不透水層１１とが交互に積層された地盤のうち、下から第一段目の最深部の帯水層１０ａに到達するまでの深度である。
【００６９】
そして、前記ボーリング孔８の削孔が完了すると、当該ボーリング孔８内を清水で洗浄し、当該孔内の泥水等を清水Ｗで置換する。
【００７０】
更に、図５（Ｂ）に示すように、前記作業床ＧＬから所定の帯水層１０の水圧を測定すべき特定の深度（例えば、最深部の帯水層１０ａ）までの長さに予め切断しておいた鋼張力マンガン線１２ａの先端に市販の間隙水圧計１２を設置し、当該間隙水圧計１２を当該ボーリング孔８内に挿入して、前記特定の深度近傍に設置する（図４：Ｓ１０２、図５（Ｂ））。尚、前記マンガン線１２ａには、前記間隙水圧計１２の計測ケーブルを予め沿わせておき、当該計測ケーブルが地上に導出されるようにしておく。
【００７１】
そして、前記間隙水圧計１２が設置された箇所で、前記ボーリング孔８内の帯水層１０に対応する領域１０１の体積から、充填すべき量のフィルター材１３（玉石、砕石など）を用意し、前記ケーシングパイプ９を引き抜きながら、当該フィルター材１３を前記ボーリング孔８の開口部８ａ（上面）から所定の充填量だけ静かに投入する（図４：Ｓ１０３、図５（Ｂ））。前記フィルター材１３は、前記間隙水圧計１２の周囲に静かに投入されることで、当該間隙水圧計１２が内部に設置されたフィルター層１４が形成される。
【００７２】
ここで、前記フィルター材１３が、前記ボーリング孔８内の帯水層１０に対応する領域１０１に適切に充填されたか否かは、所定の計器（例えば、フィルター材用充填深度測定装置など）により確認される。当該フィルター材１３の充填量が不十分な場合、例えば、前記フィルター層１４の最上面が適切な充填深度に達していない場合は（図４：Ｓ１０４ＮＯ）、再度、前記フィルター材１３が充填される（図４：Ｓ１０３）。
【００７３】
一方、図５（Ｃ）に示すように、前記フィルター材１３を前記ボーリング孔８内の帯水層１０に対応する領域１０１に適切に充填した場合、つまり、前記フィルター層１４の最上面が適切な充填深度に達した場合（図４：Ｓ１０４ＹＥＳ、図５（Ｃ））、充填作業を終了すべきか否かを確認する（図４：Ｓ１０５）。
【００７４】
ここで、図５に示す地盤では、帯水層１０ａの直上の不透水層１１ａに対応して、形成させたフィルター層１４の直上に遮水層を形成させる必要があるため、更に、前記充填作業を継続する（図４：Ｓ１０５ＮＯ）。
【００７５】
前記ボーリング孔８内のフィルター層１４の直上に形成させる予定の遮水層は、図５（Ｃ）に示すように、当該ボーリング孔８内の（前記帯水層１０ａの直上に位置する）不透水層１１ａに対応する領域１１１の体積であるため、作業者は、当該体積に基づいて、当該ボーリング孔８内に投入すべき所定数（例えば、２本−４本など）の特定の遮水具１を用意する。
【００７６】
ここで、本実施形態における間隙水圧測定方法では、その説明を簡単にするために、特定の遮水具１の大きさを、前記ボーリング孔８内の不透水層１１に対応する領域１１１に収まる大きさとする。具体的には、前記遮水具１は、軸方向の長さ２ｃを当該不透水層１１の上下方向の長さと同等（例えば、１００ｃｍ）とし、幅方向の長さ２ｄを当該ボーリング孔８の直径の約２分の１（例えば、６０ｍｍ）としている。
【００７７】
次に、図６（Ｄ）に示すように、用意した所定数の遮水具１を、前記ケーシングパイプ９を引き抜きながら、前記ボーリング孔８の開口部８ａから静かに投入し、当該遮水具１を前記不透水層１１に対応する領域１１１に配置する（図４：Ｓ１０６、図６（Ｄ））。
【００７８】
ここで、前記遮水具１を前記ボーリング孔８に投入する場合、当該遮水具１が前記ボーリング孔８の内径全体に充填されるように、作業者は、全ての遮水具１の上面を揃えて、当該遮水具１を当該ボーリング孔８の幅方向（径方向）に並べて当該遮水具１を投入する。前記遮水具１の幅方向の長さに応じて、前記ボーリング孔８の内径に並べる当該遮水具１の並べ方は異なるものの、例えば、前記遮水具１の幅方向の長さが前記ボーリング孔８の直径の約２分の１であれば、図６（Ｅ）に示すように、２つの遮水具１が当該ボーリング孔８の開口部８ａの幅方向に隣接して並べられ、当該開口部８ａに内接する。又、前記遮水具１の幅方向の長さが前記ボーリング孔８の直径の約３分の１であれば、３つの遮水具１の中心が略三角形を描くように、当該３つの遮水具１が径方向に隣接して並べられ、当該開口部８ａに内接する。更に、前記遮水具１の幅方向の長さが前記ボーリング孔８の直径の約４分の１であれば、４つの遮水具１の中心が略四角形を描くように、当該４つの遮水具１が径方向に隣接して並べられ、当該開口部８ａに内接することになる。尚、前記遮水具１は、当該遮水具１と前記ボーリング孔８の開孔部８ａとの間に生じる隙間に、間隙水圧計１２から伸びるマンガン線１２ａが存在するように、当該ボーリング孔８の開口部８ａに並べられ、配置される。
【００７９】
さて、前記遮水具１が、前記ボーリング孔８内に投入されると、当該遮水具１の外部を構成するシート７が内部の遮水材３の分散を防止するため、当該遮水材３が前記ボーリング孔８内の途中で分散することなく、前記不透水層１１に対応する所望の領域１１１（深度位置）に充填（到達）させることが可能となる。
【００８０】
ここで、従来技術のように、例えば、前記遮水材３をそのままボーリング孔８内に投入すると、所望の領域１１１に到達する前に、当該遮水材３が、ボーリング孔８内の途中で分散しながら地下水Ｗを吸収して膨張し、当該ボーリング孔８壁に付着する場合があった。その場合、当該遮水材３が、前記ボーリング孔８内の途中で詰まってしまい、適切な領域１１１に遮水層１５を形成させることが出来ず、新たなボーリング孔８の削孔をやり直す必要があった。本考案に係る遮水具１は、前記遮水材３が前記ボーリング孔８内の途中で分散する可能性を著しく小さくするため、当該遮水材３を所望の領域１１１に十分に充填させることが可能となる。
【００８１】
又、投入された遮水具１は、図６（Ｆ）に示すように、自重により、前記フィルター層１４の最上部に落下する頃に、当該遮水具１の外部を構成するシート７を介して前記ボーリング孔８内の地下水Ｗが内部に浸透し、当該内部の遮水材３が水膨張を起こす。すると、当該遮水材３が前記シート７を所定の圧力で押して突き破り、前記不透水層１１に対応する領域１１１に遮水層１５が形成される。
【００８２】
ここで、前記遮水具１自身の形状が、前記不透水層１１に対応する領域１１１に適合するような細長い形状であることから、当該遮水具１の遮水材３がそのまま膨張すれば、他の遮水材３と結合するなどして、図７（Ｇ）に示すように、前記不透水層１１に対応する領域１１１に正確に適合（合致）する遮水層１５が形成される。これにより、当該遮水層１５が、前記不透水層１１の上下に位置する帯水層１０からの地下水Ｗを確実に遮水（止水）することが可能となる。
【００８３】
尚、前記遮水具１が前記フィルター層１４の最上部に到達した際に、仮に、何らかの原因により、前記ボーリング孔８内の水Ｗが当該遮水具１に浸透せず、当該遮水具１の内部の遮水材３が膨張を起こさない場合には、所定の重りを付けた所定の長さを有する紐線（又は、長棒）を用意し、当該重りを前記ボーリング孔８内に落下させて、当該遮水具１に衝突させれば、当該重りとの衝突により当該遮水具１の外部のシート７が破れて、内部の遮水材３を前記ボーリング孔８の不透水層１１に対応する所望の領域１１１に分散させて、遮水層１５を強制的に形成させる。
【００８４】
又、前記遮水材３が略細長い形状でほぼ均一に膨張することから、当該遮水材３からなる遮水層１５が、直下に位置する間隙水圧計１２から延びた計測ケーブルにほぼ均一に接触（当接）する。そのため、当該計測ケーブルは、前記遮水層１５が不均一に接触する場合と比較して、損傷し難くなる。
【００８５】
次に、作業者は、前記遮水材３が、前記ボーリング孔８内の不透水層１１に対応する領域１１１に適切に充填されたか否かを、前記フィルター材１３と同様に、所定の計器（例えば、遮水材用充填深度測定装置、検尺テープなど）により確認する。当該遮水材３の充填量が不十分な場合、例えば、前記遮水層１５の最上面が適切な充填深度に達していない場合は（図４：Ｓ１０７ＮＯ）、当該遮水材３の必要量に応じて、他の遮水具１の大きさ、形状を調整し（図４：Ｓ１０８）、調整済みの他の遮水具１を前記ボーリング孔８内の開孔部８ａから投入する（図４：Ｓ１０６）。他の遮水具１の大きさ、形状の調整は、例えば、他の遮水具１の軸方向の長さを適当に短縮したり、他の遮水具１の内部に充填された遮水材３の量を適当に削減したりすることでなされる。
【００８６】
一方、前記遮水材３を前記ボーリング孔８内の不透水層１１に対応する領域１１１に適切に充填した場合、つまり、前記遮水層１５の最上面が適切な充填深度に達した場合（図４：Ｓ１０７ＹＥＳ、図７（Ｇ））、充填作業を終了すべきか否かを確認する（図４：Ｓ１０９）。
【００８７】
ここで、図７に示す地盤では、前記遮水層１５の直上に更にフィルター層１４を形成させる必要があるため、前記充填作業を継続し（図４：Ｓ１０９ＮＯ）、Ｓ１０２に戻って、前記ボーリング孔８内の帯水層１０に対応する領域１０１に間隙水圧計１２を設置するとともに（図４：Ｓ１０２）、前記フィルター材１３を当該領域１０１に所定の充填量だけ充填させることになる（図４：Ｓ１０３）。ここは、上述と同様である。
【００８８】
一方、前記フィルター材１３の充填、前記遮水具１の投入を交互に繰り返した後、言い換えると、前記ボーリング孔８内に、三つのフィルター層１４と、二つの遮水層１５とを交互に積層させた後、Ｓ１０５又はＳ１０９において、前記充填作業が終了した場合（図４：Ｓ１０５ＹＥＳ、Ｓ１０９ＹＥＳ）、図７（Ｈ）に示すように、各間隙水圧計１２から導出される計測ケーブルを、間隙水圧測定用のコンピュータ１６に接続して、各帯水層１０毎の間隙水圧を測定する（図４：Ｓ１１０）。これにより、間隙水圧測定が実施される。
【００８９】
＜実施例、比較例等＞
さて、多層帯水層の地盤の種類や不透水層１１の深度、不透水層１１の上下方向の長さ（厚さ）、ボーリング孔８の内径の大きさなどに応じて結果が多少異なるとは考えられるものの、本考案の作用・効果を示すために、本考案に係る遮水具１を用いた間隙水圧測定方法（実施例）と、従来技術の間隙水圧測定方法（比較例）とにおける、ボーリング孔８内の遮水層１５の形成に要する時間と、当該遮水層１５の遮水性能評価との一例を以下に示す。
【００９０】
実施例において、ボーリング孔８内の不透水層１１に対応する領域１１１に遮水層１５を形成させる場合、図４、図６に示すように、作業者が、所定数（例えば、２本、３本）の遮水具１の上面を揃えて、当該遮水具１をボーリング孔８の幅方向に並べて当該ボーリング孔８内に投入すればよいため、当該投入に要する時間は、数秒であった。又、遮水具１のシート７が新聞紙で構成されている場合、当該遮水具１の内部の遮水材３が水Ｗを吸収し、膨張して遮水層１５となるために要する時間は、数分（例えば、５分程度）であった。そのため、一の遮水層１５の形成に要する時間は、数分程度である。
【００９１】
次に、実施例において、形成された遮水層１５が、上下に位置する帯水層１０からの地下水を確実に遮水するか否かを確認するために、下記に示す遮水性能評価を実施した。
【００９２】
先ず、図７（Ｈ）に示すように、間隙水圧測定用のボーリング孔８、つまり、二つの遮水層１５（下から第一の遮水層１５ａ、第二の遮水層１５ｂとする）と、内部に間隙水圧計１２を設置させた三つのフィルター層１４（下から第一のフィルター層１４ａ、第二のフィルター層１４ｂ、第三のフィルター層１４ｃとする）とを交互に形成させたボーリング孔８を予め作成する。次に、当該ボーリング孔８の近傍に、揚水試験用の第一のボーリング孔を、第一のフィルター層１４ａに対応する帯水層１０ａの深度まで削孔し、当該帯水層１０ａから揚水する。
【００９３】
ここで、前記帯水層１０ａから揚水しているにもかかわらず、第一のフィルター層１４ａの間隙水圧と、第二のフィルター層１４ｂの間隙水圧とが同等であれば、当該第一のフィルター層１４ａの直上に形成された第一の遮水層１５ａから地下水が漏れていることを示し、当該第一の遮水層１５ａの遮水性能が劣っていると判断する。一方、第一のフィルター層１４ａの間隙水圧と、第二のフィルター層１４ｂの間隙水圧とが異なる場合は、前記第一の遮水層１５ａが適切に遮水（止水）していることを示し、当該第一の遮水層１５ａの遮水性能が優れていると判断する。
【００９４】
前記帯水層１０ａからの揚水を実施した後に、前記第一のフィルター層１４ａの間隙水圧と、前記第二のフィルター層１４ｂの間隙水圧とを比較した結果、両者は全く異なる値を示しており、前記第一の遮水層１５ａの遮水性能が優れていることを確認することが出来た。
【００９５】
又、前記第二の遮水層１５ｂの遮水性能を調査するために、揚水試験用の第二のボーリング孔を、第二のフィルター層１４ｂに対応する帯水層１０ｂの深度まで削孔し、当該帯水層１０ｂから揚水して、当該第二の遮水層１５ｂの遮水性能を確認した。その結果、前記第二のフィルター層１４ｂの間隙水圧と、前記第三のフィルター層１４ｃの間隙水圧とは全く異なる値を示しており、上記と同様に、前記第二の遮水層１５ｂの遮水性能が優れていることを確認することが出来た。
【００９６】
このような遮水層１５の遮水性能の確認を、所定数（例えば、１０個）の間隙水圧測定用のボーリング孔８について実施したところ、全てのボーリング孔８の遮水層１５について地下水の漏れを確認することは出来ず、全てのボーリング孔８の遮水層１５の遮水性能が優れていた。
【００９７】
これに対し、比較例１において、作業者が、遮水材３をボーリング孔８の開口部８ａの中心から静かに所定の充填量だけ投入する場合は、以下のようになった。即ち、作業者が、手作業で前記遮水材３をボーリング孔８内に投入する場合、当該遮水材３を、前記ボーリング孔８内の途中で詰まらせないように慎重に投入しなければならないため、当該投入に数分から数十分を要した。又、投入された遮水材３が遮水層１５となるために要する時間は、主として、最後に投入した遮水材３が従前に投入された遮水材３と結合して遮水層１５となるまでの時間であるから、一の遮水層１５の形成に要する時間は、合計として数十分程度となる。
【００９８】
ここで、比較例１では、投入された遮水材３が、前記ボーリング孔８の途中の孔壁に付着する可能性がある。又、作業者が、前記遮水材３をボーリング孔８の開口部８ａの中心から投入するため、当該遮水材３が、当該ボーリング孔８内の不透水層１１に対応する領域１１１に均一に充填されていない可能性がある。
【００９９】
次に、比較例１において、上述と同様に、所定数（例えば、１０個）の間隙水圧測定用のボーリング孔８について、形成された遮水層１５の遮水性能を確認したところ、前記遮水材１５の充填の不十分、不均一のためか、数個の遮水層１５で地下水の漏れが確認され、全体として３割から５割の遮水層の遮水性能が劣っていた。
【０１００】
又、別の比較例として、比較例２において、作業者が、遮水材３を投入するための市販のグラウトポンプを採用する場合は、以下のようになった。即ち、作業者が、先ず、前記グラウトポンプに付属の、遮水材３を導出するためのパイプを、前記ボーリング孔８内の不透水層１１に対応する領域１１１に設置する必要がある。そのため、当該設置に数分程度の時間を要した。又、前記パイプから所定の充填量の遮水材３を投入する場合に、当該遮水材３を前記領域１１１に均一に（満遍なく）充填するために、当該遮水材３の投入速度（送り出し速度）をそれほど加速することが出来ず、数分程度を要した。そのため、一の遮水層１５の形成に要する時間は、合計として数十分程度となる。
【０１０１】
ここで、比較例２では、前記遮水材３を前記領域１１１に均一に充填するために、作業者が、前記グラウトポンプのパイプを前記ボーリング孔８内で適宜揺動させる必要があり、場合によっては、当該遮水材３が当該領域１１１に均一に充填されていない可能性がある。又、前記パイプに前記ボーリング孔８内の水が浸透すると、当該水により投入中の遮水材３が膨張し、当該パイプで詰まる可能性がある。
【０１０２】
次に、比較例２において、上述と同様に、所定数（例えば、１０個）の間隙水圧測定用のボーリング孔８について、形成された遮水層１５の遮水性能を確認したところ、比較例１と同様に、全体として３割から５割の遮水層の遮水性能が劣っていた。
【０１０３】
従って、本考案に係る遮水具１は、従来技術と比較して、簡単な構成であるにもかかわらず、遮水層１５の形成に要する時間を、数分程度短縮することが可能であることが理解される。又、本考案に係る遮水具１では、形成された全ての遮水層１５の遮水性能が優れており、確実に遮水することが可能であることが理解される。
【０１０４】
このように、本考案に係る遮水具１では、水が浸透した状態で所定の圧力が加わると破れるシート７を用いて、軸方向を前記ボーリング孔８の上下方向に合わせると当該ボーリング孔８内の不透水層１１に対応する領域１１１に収まる大きさの細長い中空の筒２を形成し、当該筒２の内部に、水を吸収すると膨張する遮水材３を所定量充填し、更に、前記筒の両端部２ａ、２ｂを封止したことを特徴とする。
【０１０５】
これにより、前記ボーリング孔８内の不透水層１１に対応する領域１１１に所定の遮水層１５を形成させる際に、前記遮水具１の軸方向を当該ボーリング８の上下方向に合わせて当該遮水具１を当該ボーリング孔８内に投入（落下）させれば、内部の遮水材３を、当該ボーリング孔８内の途中で分散させることなく、所望の当該領域１１１に十分に充填させることが可能となる。又、内部の遮水材３が水を吸収して膨張すれば、自動的に外部のシート７を破り、遮水層１５となる。ここで、遮水具１自身の形状が、前記領域１１１に収まる大きさの細長い形状であることから、当該領域１１１に均一に適合する（合致する）ように遮水層１５が形成される。そのため、形成された遮水層１５が、前記不透水層１１の上下に位置する帯水層１０からの地下水を確実に遮水（止水）することが可能となる。
【０１０６】
尚、本考案では、前記遮水具１を構成するシート７として、新聞紙を採用したが、他のシート、例えば、和紙、書道紙、半紙、障子紙、藁半紙であっても、同様である。又、水が浸透した状態で、所定の圧力が加わると破れるシート、例えば、天然繊維で作成された用紙、半合成繊維で作成された用紙であっても、同様である。
【０１０７】
又、本考案の実施形態では、前記遮水具１の軸方向の長さ２ｃを当該不透水層１１の上下方向の長さと同等（１００ｃｍ）とし、当該遮水具１の幅方向の長さ２ｄを、前記ボーリング孔８の直径に対して約２分の１（６０ｍｍ）としたが、例えば、当該遮水具１の幅方向の長さ２ｄを変更せずに、当該遮水具１の軸方向の長さ２ｃを２０ｃｍとしたり、１５０ｃｍとしたりしても同様である。又、前記遮水具１の軸方向の長さ２ｃを１００ｃｍとし、当該遮水具１の幅方向の長さ２ｄを２５ｍｍとしたり、１００ｍｍとしたりしても同様である。
【０１０８】
又、本考案の実施形態では、一のフィルター層１４に一の間隙水圧計１２を設置するよう構成したが、他の構成でも構わない。即ち、前記間隙水圧計１２に代えて、所定の導水口と連通する間隙水圧計１２が所定の間隔毎に区分内蔵され、当該間隙水圧計１２の計測ケーブルが地上側へ導出された市販の特殊な水圧測定管を採用しても構わない。当該構成とすれば、フィルター層１４毎の間隙水圧計１２の設置に要する時間を短縮することが可能となる。
【０１０９】
又、本考案の実施形態では、作業者が前記遮水具１を前記ボーリング孔８内に投入するよう構成したが、例えば、当該遮水具１を当該ボーリング孔８内に自動的に投入する装置を構成しても構わない。即ち、本考案では、図７（Ｉ）に示すように、帯水層１０と不透水層１１とが交互に積層された多層帯水層の地盤における各帯水層１０の間隙水圧を測定する間隙水圧測定装置１７を構成しても構わない。当該間隙水圧測定装置１７は、水が浸透した状態で所定の圧力が加わると破れるシート７を用いて、軸方向を前記ボーリング孔８の上下方向に合わせると当該ボーリング孔８内の不透水層１１に対応する領域１１１に収まる大きさの細長い中空の筒２を形成し、当該筒２の内部に、水を吸収すると膨張する遮水材３を所定量充填し、更に、前記筒の両端部２ａ、２ｂを封止した遮水具１と、前記遮水具１を、前記不透水層１１に対応する領域１１１に所定数配置することで、当該領域１１１に遮水層１５を形成させる配置手段とを備えることを特徴とする。当該構成であっても、上記と同様の効果を得ることが可能となる。
【０１１０】
尚、前記配置手段は、前記遮水具１を前記領域１１１に所定数配置する場合、例えば、所定数の遮水具１が前記ボーリング孔８の内径全体に充填されるように、当該遮水具１を当該ボーリング孔８の幅方向（径方向）に並べてから当該ボーリング孔８に投入するよう構成される。これにより、形成される遮水層１５が、前記ボーリング孔８の不透水層１１に対応する領域１１１に密着するように形成される。尚、前記間隙水圧測定装置１７及び配置手段は、公知技術により作成される。
【０１１１】
又、本考案の実施形態では、例えば、帯水層１０と不透水層１１とが交互に積層された多層帯水層の地盤における各帯水層１０の間隙水圧を測定する間隙水圧測定方法を構成しても構わない。当該間隙水圧測定方法は、水が浸透した状態で所定の圧力が加わると破れるシート７を用いて、軸方向を前記ボーリング孔８の上下方向に合わせると当該ボーリング孔８内の不透水層１１に対応する領域１１１に収まる大きさの細長い中空の筒２を形成し、当該筒２の内部に、水を吸収すると膨張する遮水材３を所定量充填し、更に、前記筒の両端部２ａ、２ｂを封止した遮水具１を、前記不透水層１１に対応する領域１１１に所定数配置することで、当該領域１１１に遮水層１５を形成させるステップ（配置ステップ）を備えることを特徴とする。当該構成であっても、上記と同様の効果を得ることが可能となる。
【産業上の利用可能性】
【０１１２】
以上のように、本考案に係る遮水具、これを用いた間隔水圧測定装置は、ボーリング孔内に遮水層を形成させる必要がある技術分野、例えば、土木技術分野、測量技術分野、計測技術分野等に有用であり、簡単な構成であるにもかかわらず、ボーリング孔内の遮水層の形成に要する時間を短縮するとともに、当該遮水層の形成により帯水層からの地下水を確実に遮水（止水）することが可能な遮水具、これを用いた間隔水圧測定装置として有効である。
【符号の説明】
【０１１３】
１    遮水具
２    筒
３    遮水材
４    施工用テープ
５    ボックス
６    円筒パイプ
７    新聞紙
８    ボーリング孔
９    ケーシングパイプ
１０  帯水層
１１  不透水層
１２  間隙水圧計
１３  フィルター材
１４  フィルター層
１５  遮水層
１６  コンピュータ
１７  間隙水圧測定装置
【図１】
0003181247.tif 000003
【図２】
0003181247.tif 000004
【図３】
0003181247.tif 000005
【図４】
0003181247.tif 000006
【図５】
0003181247.tif 000007
【図６】
0003181247.tif 000008
【図７】
0003181247.tif 000009